Podtech/llm-jp-corpus-v4-ja_patent huggingface dataset:
(57)【要約】【課題】組立が容易で、水平方向への垣根の連結が容易で、曲線状に形成することができる垣根を提供する。【解決手段】可撓性横板に適宜間隔で嵌着部が設けられて支柱連結具となされ、この支柱連結具の嵌着部に支柱が嵌着されたことを特徴とするもので、組立が容易であり、連結具を撓めることにより、曲線状に垣根を設置することができる。又、支柱連結具の両端に隣り合う支柱連結具と連結される連結部が設けられたことを特徴とするもので、隣り合う垣根同士が容易に連結できる。【選択図】        図１
2005220668.tif 000002
【特許請求の範囲】
【請求項１】
可撓性横板に適宜間隔で嵌着部が設けられて支柱連結具となされ、この支柱連結具の嵌着部に支柱が嵌着されたことを特徴とする垣根。
【請求項２】
連結具の両端に隣り合う連結具と連結される連結部が設けられたことを特徴とする垣根。
【発明の詳細な説明】
【技術分野】
【０００１】
本発明は、庭園、花壇、菜園などに主として用いられる垣根とこの垣根を構成する連結具に関する。
【背景技術】
【０００２】
【特許文献１】特開平１４−１０６２１１号公報  従来、庭園、花壇、菜園などに用いられる垣根は、経緯の支柱をその交点で紐などで連結して格子状にしたものが良く知られている。又、特開平１４−１０６２１１号公報には一枚の軟質の平板に４個の穴を設けた垣根の支柱の組立用補助具が提案されている。
【発明の開示】
【発明が解決しようとする課題】
【０００３】
しかしながら上記の如き垣根に於いては、組立が煩瑣であるという問題があった。又、垣根の長さが水平に配設された支柱の長さによるので、水平方向の連結ができないという問題があった。更に垣根を曲線状に形成しようとすると水平に配設された支柱を曲げなければならないという問題があった。
【０００４】
そこで本発明者は従来の欠点に鑑み鋭意研究の結果、組立が容易で、水平方向への垣根の連結が容易で、曲線状に形成することができる垣根を提供するものである。
【課題を解決するための手段】
【０００５】
本発明請求項１記載の垣根は、可撓性横板に適宜間隔で嵌着部が設けられて支柱連結具となされ、この支柱連結具の嵌着部に支柱が嵌着されたことを特徴とするもので、組立が容易であり、連結具を撓めることにより、曲線状に垣根を設置することができる。
【０００６】
本発明請求項２記載の垣根は、支柱連結具の両端に隣り合う支柱連結具と連結される連結部が設けられたことを特徴とする請求項１記載のもので、隣り合う垣根同士が容易に連結できる。
【発明の効果】
【０００７】
上述の如く、本発明請求項１記載の垣根は、可撓性横板に適宜間隔で嵌着部が設けられて支柱連結具となされ、この支柱連結具の嵌着部に支柱が嵌着されたことを特徴とするもので、組立が容易であり、連結具を撓めることにより、曲線状に垣根を設置することができる。
【０００８】
又、本発明請求項２記載の垣根は、支柱連結具の両端に隣り合う支柱連結具と連結される連結部が設けられたことを特徴とする請求項１記載のもので、隣り合う垣根同士が容易に連結できる。
【発明を実施するための最良の形態】
【０００９】
以下、図面を参照しながら本発明に付いて説明する。
図１は本発明垣根の実施形態の一例を示すイは正面図であり、ロは背面図である。図に於いて、１は支柱であり、支柱連結具２により適宜間隔で、連結されて垣根となされている。支柱連結具２は可撓性横板２１に適宜間隔をおいてＣ字型のクリップ状の嵌着部２２が設けられている。又、支柱連結具２の一端には一側面が切り欠かれた円筒形の連結凹部２３が設けられ、他端には前記連結凹部２３の内径に適合する外径の円柱形の連結凸部２４が設けられている。複数の垣根が連接されるとき、隣り合う垣根の連結凸部２４と連結凹部２３が嵌合され、垣根が連結される。
【００１０】
支柱連結具２は、薄板状で可撓性を有するので垣根を地表に立設するとき垣根を円弧状など、曲線的に設置することができる。支柱連結具２の材質は特に限定されるものではないが、ポリエチレンやポリプロピレンなどの軟質の合成樹脂が好適に用いられる。図３は支柱連結具２の要部の斜視図であり、嵌着部２２の開口縁部は稍々外に拡げられ支柱１を挿入しやすくなされている。
【００１１】
支柱１は鋼管に合成樹脂が被覆されたものなどが好適に用いられるがこれに限るものではなく、アルミ合金管などが用いられてもよい。又、支柱１の外壁には竹の節状に適宜間隔で突条が設けられれば、支柱連結具２が節に当接されてずれにくく好適であり、外観も竹垣用となり好ましい印象となる。支柱１の両端にはキャップが嵌着され、支柱１内に水が浸入するのを防いでいる。
【００１２】
図２は本発明垣根の実施形態の他の例を示す正面図であり、この例では支柱連結具２の長さが異なるものが用いられている。支柱連結具２の長さを上を長くすることにより、上広がりの形状となり、蔓性植物を絡めるためのトレリスとしても使用できる。
【図面の簡単な説明】
【００１３】
【図１】本発明垣根の実施形態の一例を示すイは正面図であり、ロは背面図である。
【図２】本発明垣根の実施形態の他の例を示す正面図である。
【図３】支柱連結具の要部の斜視図である。
【図４】支柱連結具の連結の状態を示す端部の斜視図である。
【符号の説明】
【００１４】
１    支柱
２    支柱連結具
２１  可撓性横板
２２  嵌着部
２３  連結凹部  
２４  連結凸部
【図１】
2005220668.tif 000003
【図２】
2005220668.tif 000004
【図３】
2005220668.tif 000005
【図４】
2005220668.tif 000006
(57)【要約】【課題】  前掛け式便器本体を、通常のものより、尻が拭き易い前掛け式便器を開発・提供することにある。【解決手段】  前掛け式便器本体において、便器本体（１）の周囲縁部（２）を、横幅方向を狭く、あるいは、一部を狭く形成し、該周囲縁部のうち、後部付近の左右に、切り欠き部（３）をそれぞれ形成すると共に、便器本体の前部には、便器に着座するための補助用握持棒（４）を設け、該補助用握持棒（４）にウォシュレット用の放水ボタンや放水位置の調整ボタン等のスイッチボタン（６）を設け、便器本体（１）の便座部（５）には、バイブレーター（７）を内蔵、あるいは上面に設けた前掛け式便器。【選択図】        図１
2005220643.tif 000002
【特許請求の範囲】
【請求項１】
前掛け式便器本体において、便器本体（１）の周囲縁部（２）を、横幅方向を狭く、あるいは、一部を狭く形成し、該周囲縁部のうち、後部付近の左右に、切り欠き部（３）をそれぞれ形成したことを特徴とする前掛け式便器。
【請求項２】
前掛け式便器本体において、便器本体（１）の周囲縁部（２）を、横幅方向を狭く、あるいは、一部を狭く形成し、該周囲縁部のうち、後部付近の左右に、切り欠き部（３）をそれぞれ形成すると共に、便器本体の前部には、便器に着座するための補助用握持棒（４）を設けたことを特徴とする前掛け式便器。
【請求項３】
前掛け式便器本体において、補助用握持棒（４）に、ウォシュレット用のボタン（６）等の操作部を設けたことを特徴とする前掛け式便器。
【請求項４】
前掛け式便器本体において、便器本体（１）の便座部（５）に、バイブレーター（７）を設けたことを特徴とする前かけ式便器。
【発明の詳細な説明】
【技術分野】
【０００１】
この発明は、前掛け式便器に関するものである。
【背景技術】
【０００２】
従来、洋式便器は、後ろ向きに腰をかけ、便座に座って用を足すものであり、従来の和式便器に比べて、身体の足や腰に負担がかからず、大変便利なものである。
【０００３】
そして、さらに、洋式便器には、便器の上縁部の上部周囲に便座が設けられており、便器に直接、身体の臀部が触れたり、また、疲れないで使用できるよう配慮されている。
【０００４】
しかしながら、用を足し終え、ペーパーを用いて、尻を拭く場合、便座より腰を浮かせてしなければならず、結構、不便な動作を強いられるものであった。
【０００５】
さらに、車椅子を使用する人の使用にあたっては、便器に移動する場合、便器の構造上、反転して便器に着座する必要があり、その動作が大変煩雑であった。
【０００６】
そして、車椅子からそのまま、前方に向けて便器に着座すると、便器を跨ぐことになり、便器の横幅が広いため、股を押し拡げて座る結果となり、使用しにくいという欠点があった。
【０００７】
車椅子の使用者が使用する便器には便座の両側に折り畳み式の補助椅子を設けたものは存在している。
【特許文献１】特開平１０−５７２７９号公報
【発明の開示】
【発明が解決しようとする課題】
【０００８】
そこでこの発明は、前掛け式便器本体を、通常のものより、ひざや腰に負担がかからず、使用がし易い前掛け式便器を開発・提供することにある。
【課題を解決するための手段】
【０００９】
この発明は、前掛け式便器本体であり、従来の通常の便器より、横幅を狭く形成し、車椅子を利用する人も使い勝手がよく、しかも、後部の便器の縁部に切り欠き部を形成することにより、お尻が拭きやすい前掛け式便器とするものである。
【発明の効果】
【００１０】
この発明によると、前掛け式便器本体の横幅方向を狭く、あるいは、一部を狭く形成することにより、従来のように、便器の前で反転して便座に着座する必要がなく、使用し易い。
【００１１】
また、便器本体（１）の周囲縁部（２）の後部付近の左右に、切り欠き部（３）を設けたことにより、その切り欠き部（３）から、お尻が拭けるため、腰を浮かす必要がなく、ひざや腰に負担がなく、便利である。
【００１２】
さらに、便器本体の前部には、便器に着座するための補助用握持棒（４）を設けることにより、該補助用握持棒を持って、便座に着座・脱座すれば楽に動作ができる。
【００１３】
さらに、補助用握持棒（４）には、本来の便器の横に設けられた操作部を、すべて補助用握持棒（４）にウォシュレット用の放水の位置を調整したり、スイッチボタン（６）を設けており、使用に便利である。
【００１４】
また、便器本体（１）の便座部（５）には、バイブレーター（７）を内蔵、あるいは上面に設けており、用を足しながら、マッサージができ、ひざ、腰、腹部に刺激を与えることが出来る等、極めて有益なる効果を有するものである。
【発明を実施するための最良の形態】
【００１５】
この発明の最良の一実施例としては、前掛け式便器本体において、便器本体（１）の周囲縁部（２）を、横幅方向を狭く、あるいは、一部を狭く形成し、該周囲縁部のうち、後部付近の左右に、切り欠き部（３）をそれぞれ形成することを特徴する前掛け式便器から構成される。
【００１６】
次に、この発明の他の実施例を図面に従って説明すると、前掛け式便器本体において、便器本体（１）の周囲縁部（２）を、横幅方向を狭く、あるいは、一部を狭く形成し、該周囲縁部のうち、後部付近の左右に、切り欠き部（３）をそれぞれ形成すると共に、便器本体の前部には、便器に着座するための補助用握持棒（４）を設けたことを特徴とする前掛け式便器から構成される。
【００１７】
尚、前掛け式便器本体において、補助用握持棒（４）は、床面から支柱を介して設けられてもよく、また、周囲の壁からロッド等を介して設けられてもよく、本来の便器の横に設けられた操作部を、削除し、すべて補助用握持棒（４）にウォシュレット用の放水ボタンや放水位置の調整ボタン等のスイッチボタン（６）等を設けるものである。
【００１８】
さらに、前掛け式便器本体において、便器本体（１）の便座部（５）には、バイブレーター（７）を内蔵したり、あるいは便座上面に設けることにより、使用中に、マッサージを可能とし、刺激により排便を促すものである。
【産業上の利用可能性】
【００１９】
この発明は、前掛け式便器の製造技術を確立することにより、また、これらを販売することにより産業上の利用可能性を有する。
【図面の簡単な説明】
【００２０】
【図１】この発明の一実施例を示す側面図である。
【図２】この発明の一実施例を示す平面図である。
【図３】この発明の他の実施例を示す側面図である。
【符号の説明】
【００２１】
１  便器本体
２  周囲縁部
３  切り欠き部
４  補助用握持棒
５  便座部
６  スイッチボタン
７  バイブレーター
【図１】
2005220643.tif 000003
【図２】
2005220643.tif 000004
【図３】
2005220643.tif 000005
(57)【要約】【課題】  風力発電装置は生産電力を増大させるためには羽根の面積を増大させないとエネルギーは増やせません。【解決手段】  その解決の手段として建物の上に集風板を取り付ける事により風の通り道を作り風を増速させエネルギーの増大を図りました。【選択図】              図１
2005220892.tif 000002
【特許請求の範囲】
【請求項１】
建物の屋上に吹いてくる自然風のコンフューザーを取り付け風の向きを変えて集中させ増速させ風の通り道を作る。
【請求項２】
風の通り道の出口の部分に横からの風が影響されない様にデフューザーを取り付ける。
【請求項３】
自然風の入り口部分は固定されたコンフューザーは一部固定され、その先半分の部分は風の強弱に応じて、その向きが変えられる様にその先端の下部にレールを設け、風に対して直角から平行に迄、移動可能な装置とする。
【請求項４】
風の通り道の出口に当たる屋上の角には建物の９０度の角に４５度集風板を取り付け、デフューザーの役目と逆に吹いた場合のコンフューザーの役目をさせる。従って建物の四隅には、その建物の大きさに応じた集風板が９０度の隅に４５度の角度で内側に向かって固定されている。
【発明の詳細な説明】
【技術分野】
【０００１】  風力発電装置に安定的な風力を供給するための風の集風装置である。
風車のエネルギーを増大させるための受風面積を拡大しエネルギーの増大を図る。
【背景技術】
【０００２】  風力発電装置の大型化は、かなり進んでいるが、日本では世界に比較して普及率が極端に低い、その理由は設備費が高く消却不可能な所にある。従って小型分散型電源としての風車が着目されているが、これもままならない現状である。
【発明の開示】
【０００３】  従来の風力発電装置はは風の吹く定格速度を設定し、その定格の風が吹いた時に発電する。それ以下の弱風でもは風力発電は起動しない。この発明は、従来の風力発電装置の発電しないような弱い風速でも発電するようになる物です。
【発明が解決しようとする課題】
【０００４】  風力発電装置は、その風車の羽根の持つ受風面積がエネルギーの全てであるが我々は小型の風車でより以上のエネルギーを求めるため風を集めて増速させる発明である。
【課題を解決するための手段】
【０００５】  我々は小型の風車のエネルギーを増大させるための、風車の前方に風の集風板を取り付け複数の風車の全ての受風面積を増大させる方法を発明した。
【発明の効果】
【０００６】  日本列島における風の状流は島国であるため、海からの風が山からの風に二分され、海岸では、海からの風が一年を通じて３５度の角度から吹き付け山の風は吹きおろし吹き上げのどちらかになる。従って一年を通じて、風の角度に対して３０度の角度で風を受ける集風板を設置すると風のコントロールが可能になる。これにより小型でも中型並みの発電が可能になる。
【発明を実施するための最良の形態】
【０００７】  海岸、冷凍冷蔵工場の屋上、山の低温倉庫の上、日本特有の吹き上げ、吹き下ろしの風の場所の工場等、全てに風車と集風装置が有効で風をコントロールする事により不安定な風力発電の電気もバラツキが無い有効な電気に変え、風車の有効利用率も９０％近く迄向上させる事が可能です。
【産業上の利用可能性】
【０００８】  漁業用冷蔵倉庫、農業用低温倉庫、工場用電源、全てに利用できます。それは、風をコントロールする事により、２２０Ｖ、５ｋｗ／ｈ〜１０ｋｗ／ｈの工業用電気を生産し尚且つ自家用発電の為、送電ロスが無く安全対策も建物の屋上だからこそ出来るメソッドがあります。漁業、農業の一万工場に１０ｋｗ／ｈの小型風車を１０台づつ設置すると考えると、それだけでも１００万ｋｗ／ｈの自然エネルギーが生産されます。
【図面の簡単な説明】
【０００９】
【図１】  本発明の上部より見た図である。
【図２】  本発明の側面図である。
【符号の説明】
【００１０】  １    固定壁
２    移動壁
３    レール
４    風
５    建物の屋上
【図１】
2005220892.tif 000003
【図２】
2005220892.tif 000004
(57)【要約】【課題】  風力発電装置は自然エネルギーの利用では最大のものであるが、経済的にペイしないので普及が遅れている。  その効率を上げ風力発電を設置する事により需要者の経済的な利益を上げられる一つの方法です。  風力発電装置の有効利用率を上げるための風の集風装置と受風面積を上げ発電量の増大を図る装置です。【解決手段】  風車の生産率を上げるのには風車の受風面積を広げるしか方法がなかったが風車の方法に風を取り入れる装置を取り付ける事により受風面積を広げ生産量の増加を図った又その受風装置を上部の方向蛇似より常に風に対面させる事により風車の生産率を向上させた。従って風車は風の方向が乱流であっても常に強い風を風車が選択し風を受ける仕組みです。尚、全方向型に集風板を取り付けてありますが風向調査の必要が無く風車が風を操します。【選択図】              図１
2005220893.tif 000002
【特許請求の範囲】
【請求項１】
垂直型風車に吹く風を増速させるための集風板を常に風が吹いてくる方向に回転させる装置です。
【請求項２】
全方向型の垂直型風車に吹き付ける風を方向蛇によりコントロールし、その方向に回転するコンフューザとデフューザーを取り付ける。
【発明の詳細な説明】
【技術分野】
【０００１】  風の吹く方向を尾翼付きの方向蛇似より察知し、その向きに風車の集風板を向ける装置です。
【背景技術】
【０００２】  全方向型ダリウス風力発電装置に取り付けるコンフューザーとデフューザー付き風向回転装置です。
【発明が解決しようとする課題】
【０００３】  風力発電装置は風の吹いて来る方向に風車を向ける事により羽根の回転の効率を上げる。大型の場合は風向計を取り付け電気制御によりコントロールされているが小型風車の場合は尾翼を取り付けている。全方向型の風車の場合はどちらからの風にも対応するのが利点とされているが、吹く風が乱流の場合は効率が著しく落ちて風車が廻らない場合も起こる。全方向型でも、どこからの風でも対応出来るが２方向から同時に吹く場合は風車は廻らない欠点がある。従ってどちらからかの一方向の風に統一させないと有効な風車の回転は得られない。
【課題を解決するための手段】
【０００４】  全方向型風車の場合でも大型の尾翼を取り付けた場合、より強い風の方向にその尾翼が風車の向きをコントロールするので、その風向に対してのみの風を集風する回転型の集風板を取り付ける。
【発明の効果】
【０００５】  この集風板により常に一定方向の風を得る事が出来ると共に邪魔をする風を遮断する事が出来る。その上その集風板にコンフューザー、デフューザーの増速機能を持たせ、風速を倍増する事が可能でその事により生産するエネルギーを３倍に出来ます。
【発明を実施するための最良の形態】
【０００６】  上部に取り付けられた方向蛇似より、その時点で吹く風に対応するための集風板は上下の円型の回転レールに直線に取り付けられるベアリングにより容易に回転運動を行う。風の集風は風車に入る風を倍増させるため３０度空４５度の角度で板を前方に張り出させ風の出口は他方からの風が影響しない用に３０度漢４５度の角度で後方に張り出す。
【産業上の利用可能性】
【０００７】  一般に風力発電の場合経済性に問題があり普及が止まっているがこの装置により弱い風でも常に発電に必要な一定の風が得られるため利用効率が大幅にアップされ風力発電がただ単に自然エネルギーの取りに止まらず経済的に消却可能になり一般の普及が望まれる状態に至った。
【図面の簡単な説明】
【０００８】
【図１】  本発明の側面図である。
【図２】  本発明の上部より見た図である。
【符号の説明】
【０００９】  １    風の集風板（コンフューザー）
２    風の出口板（デフューザー）
３    ベアリング付レール
４    風向蛇（尾翼）
５    垂直型風車（ダリウス型）
６    ベアリング
７    発電機ボックス
８    風車が大型の場合の内枠
【図１】
2005220893.tif 000003
【図２】
2005220893.tif 000004
(57)【要約】【課題】  地球温暖化防止のための自然エネルギーの摂取です。【解決手段】  遠心力と磁力による回転を使って発電機で電気を生産し、その電気を使って２０倍の発電機を動かし又その一部の電気を使って増大させて大きな電力を生み出す。【選択図】              図１
2005220894.tif 000002
【特許請求の範囲】
【請求項１】
垂直型風車に装着する磁石による回転装置
【請求項２】
垂直型風車の回転軸にフライホイールを設置し、そのフライホイールに三本の足を設け、その先端に磁石を取り付けて外側に取り付けた固定の磁石との反発により回転を補助する。
【請求項３】
回転するフライホイールの重量を軽減するための磁石の反発による浮上装置。フライホイールの下部にリング型の磁石を反発する状態に取り付け重量を軽減する。
【請求項４】
反発する磁石の接近する入り口に鉄板を装着し磁気の強弱をコントロールする装置
【請求項５】
モーターと磁石により生産された余剰電力により次々と他のモーターを作動させ電気を生産する方式
【請求項６】
モーターと磁石により連鎖的に発電させられた電気の一部を元の発電機の電池に戻し直互に補充しながら発電を増加させるシステム
【発明の詳細な説明】
【技術分野】
【０００１】  回転軸の遠心力を利用して磁気の反発の力でモーターで軸を回転させ直結する発電機により電気を生産する。
【背景技術】
【０００２】  小型分散型電源に対する発明
【発明の開示】
【０００３】  核となる発電機は、その一部を風力発電の親機のバッテリーに接続し、電気をリターンする。又、それぞれの核発電機は、その発電の一部を別の核発電機のバッテリーに接続されている。
【発明が解決しようとする課題】
【０００４】  磁力による回転でモーターが必要とする電力の５倍から１０倍の電気を生産しその電力で次々とマグネットボックスに電気を供給しそれぞれから電力を生産する。
【課題を解決するための手段】
【０００５】  回転軸に遠心力を増加つ競るための円型のホイルを取り付け、そのフライホイールはスラストベアリングで回転を容易にしてどのホイルに３本の足を出してその先端に磁石を取り付ける。その磁石が回転する先にその磁気時反発する磁石を固定しその反発力により重さを横の回転に変換させて強い回転力を生み出す。
【発明の効果】
【０００６】  この事によりマグネットボックスを増やすだけで、その数の発電が得られる。この事により電気は場所さえあれば生産可能になる。
【発明を実施するための最良の形態】
【０００７】  磁石の反発を使った場合その大きさに限度があります。我々の製造した実験機は直径２ｍの円型の外側に１０ｃｍの直径、厚さ２ｃｍの２７００ガウスの磁石を２個対象に固定させ回転軸に直径１ｍのフライホイールを取り付け、そのフライホイールに三本の足を取り付けその先端に固定の磁石に反発する磁石を回転方向に傾け設置し、その円型磁石の最初に接触する部分に５ｃｍの鉄片を巻き磁力の抵抗を減らした。そして、その重力を減らすために１機はスラストベアリングを開いて重量を減らし、後の１機については磁石のリングを用いて浮上させた。その結果両者共回転が非常にスムーズに行われた。そして発電機を７．５ｋｍ／ｈのドイツ製の増速機内蔵の発電機を接続し５００ワットのモーターにより始動した。その結果２００回転で３ｋｗ／ｈ３００回転で５ｋｗ／ｈの発電が得られた。従って建物の屋上に１０ｋｗ／ｈの風力発電装置を設置しその得られた電力で先ず２０機の発電機を作動させ、又その内の何機かを核として次の何百機の発電機を動かせば莫大な電力が得られる。何故初動の電力に風力を使用するのかは電力の無い島でも砂漠の中でも電気の生産が可能になり、それが最良の形態と考えます。
【産業上の利用可能性】
【０００８】  得られた電気で次々と増産すれば電気の心配は無くなる。
【図面の簡単な説明】
【０００９】
【図１】  本発明の側面図である。
【図２】  本発明の上部より見た図である。
【符号の説明】
【００１０】  １    風の集風板（コンフューザー）
２    風の出口板（デフューザー）
３    ベアリング付レール
４    風向蛇（尾翼）
５    垂直型風車（ダリウス型）
６    ベアリング
７    発電機ボックス
８    風車が大型の場合の内枠
【図１】
2005220894.tif 000003
【手続補正書】
【提出日】平成16年4月26日(2004.4.26)
【手続補正１】
【補正対象書類名】明細書
【補正対象項目名】０００９
【補正方法】変更
【補正の内容】
【０００９】
【図１】
本発明の側面図である。
【符号の説明】
１  風の集風板（コンフューザー）
２  風の出口板（デフューザー）
３  ベアリング付レール
４  風向蛇（尾翼）
５  垂直型風車（ダリウス型）
６  ベアリング
７  発電機ボックス
８  風車が大型の場合の内枠
(57)【要約】      （修正有）【課題】有限の燃料を使用せず、僅かな電力使用で多大の電力を発生する。【解決手段】エアーコンプレッサーを使用して、エアーリフトポンプ方式で水を揚水回転させて発電する。【選択図】図１
2005220898.tif 000002
【特許請求の範囲】
【請求項１】
動力源として使用
【請求項２】
電力発電に使用
【発明の詳細な説明】
【発明の詳細な説明】
【０００１】有限の燃料を使用せず僅かな電力使用で多大の電力が発生出来る
【背景技術】
【０００２】従来の電力は水力・火力・原子力で発生させ公害と危険が伴う
【発明を実施するための最良の形態】
【０００３】現在は模型で製作実験
【図面の簡単な説明】
【図１】略図ですが要するにエアーコンプレッサーを使用し回転水力で発電する
【図１】
2005220898.tif 000003
(57)【要約】【課題】  回転運動を保存蓄積した状態から動力を取り出した場合、出力と同じ運動力を回転体は失い、高速回転を維持出来なくなる。  これを避ける為に、回転体の回転運動力から直接では無く、高速回転運動時に同時に伴う遠心力（人工重力）から、回転力を得る方法が必要だった。【解決手段】  回転軸から回転重心をずらした回転体を高速回転させ、モータを支える支柱をひきずる現象を生じさせる。  その支柱上に、出力軸に連結した車輪を固定し、それを取り囲むように外周円筒を、支柱と車輪の振幅集束点を揃えて、全体の振幅運動を妨げないように配置固定します。  この一連の連続相互運動によって、モータの回転運動を損なわず、回転数に対し、外周円筒の円周と車輪の円周比率に応じた回転数と、回転体の遠心力に対し、支柱の振幅と外周円筒の振幅比率に比例した回転力を出力する。【選択図】  図１
2005220918.tif 000002
【特許請求の範囲】
【請求項１】
回転軸から回転重心をずらした回転体を高速回転させ、モーターを支える支柱をひきずる現象を生じさせる。
その支柱上に、出力軸に連結した車輪を固定し、それを取り囲むように外周円筒を、支柱と車輪の振幅集束点を揃えて、全体の振幅運動を妨げないように配置固定します。
この一連の連続相互運動によって、モーターの回転数に対し、外周円筒の円周と車輪の円周比率に応じた回転数と、回転体の遠心力に対し、支柱の振幅と外周円筒の振幅比率に比例した回転力を出力する回転機関。
【発明の詳細な説明】
【技術分野】
【０００１】  本発明は、モータに連結した回転体の、回転動力を保存蓄積する性質を利用し、これに伴って発生する遠心力から新たに回転動力を得る回転機関である。
【背景技術】
【０００２】  従来のモータが、大きな回転力を得るには、本体の大型化叉は、減速歯車の組合せ等が必要であった。しかし、モータを大型化した場合には、投入エネルギーが大きくなり、減速歯車を組合わせた場合は、歯車の駆動抵抗による動力損失が大きくなる等で効率が悪かった。
【発明が解決しようとする課題】
【０００３】  最小限の適正なエネルギー投入で、小型モータに連結した回転体を高速回転させ、これに伴って発生する遠心力を、入力源の回転運動損失を最小限に抑えながら回転力として出力することにより従来モータの高効率化に貢献する。
【課題を解決するための手段】
【０００４】回転軸から回転重心をずらした回転体を高速回転させ、モータを支える支柱をひきずる現象を生じさせる。  その支柱上に、出力軸に連結した車輪を固定し、それを取り囲むように外周円筒を、支柱と車輪の振幅集束点を揃えて、全体の振幅運動を妨げないように配置固定します。
この一連の連続相互運動によって、モータの回転数に対し、外周円筒の円周と車輪の円周比率に応じた回転数と、回転体の遠心力に対し、支柱の振幅と外周円筒の振幅比率に比例した回転力を出力する。
【発明の効果】
【０００５】  最小限の適正なエネルギー投入で、高速回転体の回転数に対し、外周円筒の円周と車輪の円周比率に応じた回転数と、回転体の遠心力に対し、支柱の振幅と外周円筒の振幅比率に比例した回転力を出力することで小型モータの高回転力化が可能となる。
【発明を実施する為の最良の形態】
【０００６】  支柱の上部に重心をずらした回転体を連結したモータを設置し、中部から下部にかけて車輪兼、車軸をベアリングにて設置します。車輪を取り囲む様に外周円筒を、支柱の振幅集束点と一致させて設置します。車輪と外周円筒の接地面に摩擦材を固定します。
【図面の簡単な説明】
【０００７】
【図１】  本発明の実施形態を示す断面図
【符号の説明】
【０００８】１    回転軸から重心をずらした回転体
２    電気モータ
３    支柱
４    摩擦材
５    車輪兼、出力軸
６    外周円筒
７    振幅集束点
【図１】
2005220918.tif 000003
(57)【要約】      （修正有）【課題】水を簡単に浄化するためのパイ化電導竹炭を提供する。【解決手段】電導性竹炭の持つ、遠赤外線放出、脱臭、水浄化機能などを、更に高機能材料に、改質した、パイ化電導性竹炭てある。パイウオーターの持つ高いレベルの水浄化、イオン解除、水構造変化機能などを、竹炭に付与したもので、水浄化の場合、高機能の通電竹炭に比べ浄化機能は、約２倍以上の持続維持である。今後医療補助具、寝具、その他広範囲の用途利用が考えられる。【選択図】なし【特許請求の範囲】
【請求項１】
電導竹炭をパイウオーター源水で処理してなるパイ化電導性竹炭
【請求項２】
電導竹炭の電気抵抗値が５０Ω／ｃｍ以下であるパイ化電導竹炭
【発明の詳細な説明】
【発明の詳細な説明】
【技術分野】
【０００１】  この発明は、水を簡単に浄化するための資材に関するものである。
【背景技術】
【０００２】  従来より、竹炭は木炭に比べ気孔率が高く、その結果吸着面積が多いことで優れた水浄化機能を有するものとして使われてきた。また、電導性のある竹炭は遠赤外線放出能があり、これが一因となってクラスターの小さい水分子に変える作用があり水中に棲む嫌気性バクテリアを排除できる機能を有し、優れた浄化資材として現在も使用されている。
しかし、汚染物質の吸着による劣化があり、長期間機能維持することは困難である。したがって、水の汚染度により交換頻度が高くなる。
【発明が解決しようとする課題】
【０００３】  本発明は、上記した欠点を排除するため、種々検討の結果、竹炭の持つ利点を生かしながら、竹炭をパイウオーターにより改質したものである。
パイウオーターは、オーラエネルギーの放射、物質の記憶現象などにより、水質浄化、水の構造変化、イオン解除などいくつかの優れた作用効果のあることは明らかで、これに係わる商品の市販は多数なされている。
本発明に使用の竹炭は少なくとも８５０℃以上の高温で炭化したものを使い、電気抵抗値で５０Ω／ｃｍ以下が好ましい。この理由は、完全炭化したものは、竹炭に含まれる微量の金属イオンが解けだし、水をアルカリ性に変える作用がある。未炭化の低温炭化では水が酸性域にシフトすることがあるため、指標として電気抵抗値で炭の良否を炭化度で判定した。
この電気抵抗値の低い竹炭を、市販の２価３価鉄塩のパイウオーター源水に少なくとも２０間浸積養生処理してパイ化電導竹炭を製造した。
このパイ化電導竹炭を使い性能を検証するため、処理する前の電導竹炭、いずれの竹炭も電気抵抗値レベル２５Ω／ｃｍものを使い、雨水の浄水化試験を１年半に渡り実験しこの効果を調べた。
この結果、電導竹炭が約６ヶ月間、正常な水浄化作用があるのに対しパイ化電導竹炭は、１年３ヶ後も水浄化作用のあることがわかった。
【発明を実施するための最良の形態】
【０００４】  本発明の効果の検証の一例を、雨水の浄化試験で紹介したが、これを具体的に説明する。５００リットルタンク２個用意し、一方に、電導竹炭５キログラム、もう一方に、前記した要領にて製造した、パイ化電導竹炭５キログラム入れ、雨水５００リットルを注水した。試験条件として、各タンクとも、１日５０リットル水を消費する想定で、毎日、５０リットル雨水補給した。
この繰り返しを日々行い、１ヶ月単位で水の検査を行った。雨水の初期性状として、ｐＨ値５．６の酸性雨、大腸菌多数であったものが、電導竹炭では、６ヶ月間ｐＨ値７前後を推移し良好であった。なお、大腸菌については、５ヶ月後から若干検出された。一方、パイ化電導竹炭は、１年３ヶ月経過後も、ｐＨ値７をクリヤーし、大腸菌も検出されなかった。
この結果から明らかな通り、竹炭をパイ化改質することにより、竹炭の浄化機能を一段と高めることが明らかになった。
【発明の効果】
【０００５】  電導竹炭の水浄化機能は優れているが、パイウオーターにより改質することで、パイウオーターの機能が付与された新しい浄化資材となった。この新しいパイ化電導竹炭は水浄化に限らず、パイウオーターの性質を備えており、健康医療補助具、魚介類の養殖、生鮮食料品の鮮度維持、寝具、動植物の活性化維持などかなり広範囲の利用が考えられる。
(57)【要約】  【課題】  頭髪の発毛・育毛に関して柑橘類の果皮の抽出物と相乗効果のある物質を混合することでより効果を高めることを課題する。  【解決手段】  柑橘類の果皮の抽出物を７０Hz以下のクラスター値、７０以上の界面活性力値を有する水を主成分とする溶媒に溶かした育毛剤である。このように溶媒のクラスター値が７０Ｈｚ以下と小さいために、果皮の抽出物の成分が頭皮および毛根に浸透し、また、溶媒の界面活性力値が７０以上と高いので頭皮の皮脂を溶かしてより深く毛根に抽出物成分を行き渡らせることができ、より高い育毛効果を発揮することができる。【特許請求の範囲】
【請求項１】
柑橘類の皮の抽出物を７０Hz以下のクラスター値を有する水を主成分とする溶媒に溶かした育毛剤。
【請求項２】
柑橘類の皮の抽出物を７０以上の界面活性力値を有する水を主成分とする溶媒に溶かした育毛剤。
【請求項３】
柑橘類の皮の抽出物とゲルマニウムを含む育毛剤。
【請求項４】
柑橘類の皮の抽出物とクロレラを含む育毛剤。
【請求項５】
柑橘類の皮の抽出物とＰＨ８．５以上の温泉水を含む育毛剤。
【請求項６】
柑橘類の皮の抽出物と大隈半島における温泉水を含む育毛剤。
【請求項７】
柑橘類の皮の抽出物と苦汁を含む育毛剤。
【請求項８】
前記柑橘類はオレンジである請求項１から７のいずれか１項に記載の育毛剤。
【請求項９】
前記柑橘類の皮の抽出物はアルコールにより抽出されたものである請求項１から８のいずれか１項に記載の育毛剤。
【請求項１０】
前記抽出物を含むアルコールと水を主成分とする溶媒をほぼ重量比率１：１の割合で混合した請求項９に記載の育毛剤。
【請求項１１】
前記アルコールは日本酒である請求項１０に記載の育毛剤。
【発明の詳細な説明】
【技術分野】
【０００１】
本発明は頭髪の発毛、育毛に資する育毛剤に関し、特に、柑橘類の抽出物を含む育毛剤に関する。
【背景技術】
【０００２】
従来から、種々の育毛剤に関する提案がなされている。その中でも柑橘類の果皮の抽出物を使用するものが、下記特許文献１において示されている。
【特許文献１】特開平３−２２７９１１号公報
【特許文献２】特開平６−３４０５１９号公報
【特許文献３】特開平１１−１４１４号公報
【発明の開示】
【発明が解決しようとする課題】
【０００３】
本発明の発明者は、柑橘類の果皮の抽出物を使用した育毛剤を改良すべく、試行錯誤をおこなった結果、鹿児島県の大隈半島における温泉水を用いると顕著な育毛効果があることを見出した。これは、柑橘類の果皮の抽出物に対して、かかる温泉水に育毛に関して相乗効果をもたらす物質が含まれていることに起因すると考えられる。
本発明はこのような状況に鑑み、頭髪の発毛・育毛に関して柑橘類の果皮の抽出物と相乗効果のある物質を混合することでより効果を高めることを課題する。
【課題を解決するための手段】
【０００４】
上記課題を解決するために、本発明は次のような構成を有する。
請求項１に記載の発明は、柑橘類の果皮の抽出物を７０Hz以下のクラスター値を有する水を主成分とする溶媒に溶かした育毛剤である。なお、クラスター値は１７O-NMR法により気温２０度で測定した値である。
請求項２に記載の発明は、柑橘類の果皮の抽出物を７０以上の界面活性力値を有する水を主成分とする溶媒に溶かした育毛剤である。なお、界面活性力値は １H-NMR法により気温２０度で測定した値である。
請求項３に記載の発明は、柑橘類の果皮の抽出物とゲルマニウムを含む育毛剤である。
請求項４に記載の発明は、柑橘類の果皮の抽出物とクロレラを含む育毛剤である。
請求項５に記載の発明は、柑橘類の果皮の抽出物とＰＨ８．５以上の温泉水を含む育毛剤である。
請求項６に記載の発明は、柑橘類の果皮の抽出物と大隈半島における温泉水を含む育毛剤である。
【０００５】
請求項７に記載の発明は、柑橘類の果皮の抽出物と苦汁を含む育毛剤である。
請求項８に記載の発明は、前記育毛剤において前記柑橘類をオレンジとしたものである。
請求項９に記載の発明は、前記育毛剤において前記柑橘類の果皮の抽出物はアルコールにより抽出されたものである。
請求項１０に記載の発明は、請求項９に記載の育毛剤において、記抽出物を含むアルコールと水を主成分とする溶媒をほぼ重量比率１：１の割合で混合したものである。
請求項１１に記載の発明は、請求項１０に記載の育毛剤において、前記アルコールを日本酒としたものである。
【発明の効果】
【０００６】
本発明の育毛剤は、柑橘類の果皮の抽出物の育毛作用に対してさらに相乗作用を発揮する物質を付加することでよりいっそうの発毛および育毛を促進することができる。
【発明を実施するための最良の形態】
【０００７】
（実施例）
以下、本発明の実施例について説明する。
エタノールにより殺菌したオレンジの皮を清酒に２０日間漬け込むことで得られたオレンジの果皮の抽出物と温泉水とを重量比１：１の割合で混合し、これに０．２ｗｔ％の苦汁を溶かすことで本実施例にかかる育毛剤を得た。温泉水は鹿児島県の大隈半島にある垂水温泉の温泉水を用いた。
本実施例にかかる育毛剤を使用した結果、単なるオレンジの果皮の抽出物を育毛剤として用いた場合に比較して、顕著な効果が見られた。これは、大隈半島の温泉水および苦汁による相乗効果であることが推測される。すなわち、次のような効果を生じていることが考えられる。まず、大隈半島の温泉水は、クラスター値が７０Ｈｚ以下とたいへん小さいために、果皮の抽出物の成分が頭皮および毛根に浸透し、より高い育毛効果を発揮することができる。また、当該温泉水は７０以上の高い界面活性力値を有するので、頭皮の皮脂を溶かしてより深く毛根に抽出物成分を行き渡らせることができる。さらに、当該温泉水は、ゲルマニウムが含まれるので頭皮の血行をよくして、頭皮を活性化することでより育毛効果を高くすることができる。それから、当該温泉水にはクロレラが含まれる。クロレラは保湿力をもつことが知られており、これが頭皮を適度に保湿することで、より育毛効果を高くすることができる。また、当該温泉水はＰＨ８．５以上のアルカリ泉であり、天然ミネラル成分が多く含まれる。ミネラルは皮膚の新陳代謝を促進することが知られており、ミネラル成分が頭皮の新陳代謝を促進して育毛に資することができる。また、苦汁にも多くのミネラル成分が含まれるので、これを加えることで、さらに、ミネラル分を増加させ育毛に資することができる。
(57)【要約】【課題】  本発明は、Ｒ型換気（Ｒ型形状部品）（以下、図１イ・ロ・ハ・ニ）を付けることにより雨水等を一切未然に防ぐこと、自然の循環の中で空気の出し入れがスムーズに行われることにあります。【解決手段】  ア、軒天上（住宅の軒先）にＲ型、角型も呂み、突端を下向きに付ける事を前提とし、垂れ水等をシャットアウトするものです。  イ、結露による住宅の腐敗を防ぎ、人害と言われる新建材、クロスの張り付けによる接着剤のにおいなどを住宅外に出してしまう事にあります。【選択図】  図１
2005220723.tif 000002
【特許請求の範囲】
【請求項１】
Ｒ型換気（Ｒ型形状部品）
家屋の軒天部分にＲ型換気（Ｒ型形状部品）取り付けることにより結露、破風、鼻隠しからの雨水、毛細管現象による水の染み込み及び侵入を防止し、軒先・軒天上の腐敗を防ぐ特徴があり、Ｒ型換気（Ｒ型形状部品）は他に土台、棟換と幅広い利用の仕方ができＲ型換気（Ｒ型形状部品）を取り付けると空気の出入が自然に行われ建物の耐久力、人体の健康にも適しており優れた効果を持っているＲ型換気（Ｒ型形状部品）は、低コストで新築及び既存住宅を問わず簡単に施工できる利点をもったＲ型換気（Ｒ型形状部品）である。
【発明の詳細な説明】
【技術分野】
【０００１】  本発明は、建物の中に結露現象が起きて人体に肌のかゆみ、せき、目まい等建物に異常な事態が起こっておりＲ型換気（Ｒ型形状部品）を付けることにより、空気の吸排気が自然な型で解消される。さらに、Ｒ型換気（Ｒ型形状部品）を軒先に付けることにより軒先からくる雨水、結露による水、毛細管現象による軒天上のシミ、腐敗等を未然に防ぐ大きな特長を持つＲ型換気（Ｒ型形状部品）に関するものである。
【背景技術】
【０００２】  従来のものは、軒天の平らな部分に穴のあいた建材を張るか、既製品の出来合いの物を付けてきたが、どれも目的の理解がないのか完全に施工がされていない場合が大半であったと思う。
それでも旧住宅は、建物のどこからでも風が入り込み換気の役目をしてきたと考えられる。
【発明の開示】
【発明が解決しようとする課題】
【０００３】  そのために、次のような問題点があった。
イ、軒天にくる水はまず▲１▼結露によるシミ入り▲２▼スガ漏り（雪が屋根軒先の氷に解けた水がたまって雨もりする事）▲３▼毛細管現象によるハゼ部からの侵入の三つに考えられる。これ等が軒先から入り込み、軒先の腐敗、軒天上のシミ、汚れの原因となっています。
ロ、空気の循環が悪いために、屋内のおもに屋根裏の木材（束柱桁、梁、屋根板が黒色に変わり腐敗する寸前の現状にあります。
ハ、今建物に異状な事態が発生している。それは密度の高い建材と住みやすい住宅建設のための技術の向上により、今建物が呼吸困難の状態になっていると考えられる。空気の循環が悪く、天上裏に汚れた空気がこもり、湿気が漂い建物の耐久力が心配されている。そればかりか、人体にあたえる影響も大変であります。ぜんそく、せき、目まい、目のショボつき、肌のかゆみ等が現実に起きてきています。本発明は、これらの問題点を解決するためになされたものである。
【課題を解決するための手段】
【０００４】  Ｒ型換気（Ｒ型形状部品）を土台、棟、軒天上につけることにより、空気の循環をよくしようとする目的のためのものであり、最大の特長はＲ型にすることにより軒先、軒天上に来る水を一切未然に防ぐということであります。それは、Ｒ型換気（Ｒ型形状部品）を下向きに付けることにより、Ｒのたまりで雨水をシャットアウトすること、ダイヤ型穴により雪が入り込まないこと、又、丸型のために空気の出入れが自然にスムーズに行われることにあります。以上、今までないコンパクトで低コストで、取付も既存住宅を含めていつでも施工できる画期的なものであります。
【発明の効果】
【０００５】  本発明は、Ｒ型換気（Ｒ型形状部品）を取り付けることにより雨水等一切未然に防ぐこと、雪などの吹込みがダイヤ形網状のためにその状態にならないこと、丸形にすることにより自然の循環のもとで空気の出し入れがスムーズに出来ること、コンパクトで低コストで生産提供できることにあります。
【発明を実施するための最良の形態】
【０００６】以下、本発明の実施の形態を説明する。
（１）Ｒの部分、ダイヤ形網目が特長（０００１参考）
（２）軒先の部分を表すものです。軒先鼻隠しのすぐ裏側にＲを下向きに取り付ける。（０００４参考）
（３）軒天取付後のものであります。
（４）（３）の図で問題の出角入角の納めですが、これがそれを表しています。工法、二通り、カマボコキャップ納メ、コーナー一体型納メ。
（５）従来のものを表す。（雨水等のシミ込みによる汚れた形）
（６）棟にＲ型換気（Ｒ型形状部品）を取付ける場合。
（７）土台にＲ型換気（Ｒ型形状部品）を取付ける場合。
本発明は、以上の構成によりなっている。
本発明を使用するには、Ｒの部分を下向きに付けること、釘打ちで簡単に取付けることが出来る。又、軒先には天上板受けの溝をセットしてあります。棟、土台、換気にはＲの部分を新発明としてあり、天上板受け溝はありません。
【図面の簡単な説明】
【０００７】
【図１】本発明の斜視、分解斜視、使用状態図
【図２】本発明の使用状態を示す斜視図
【図３】本発明の使用状態を示す斜視図
【図４】本発明の使用状態を示す斜視図
【符号の説明】
【０００８】（図１）  Ｒ型換気図（Ｒ型形状部品）
３  Ｒ型換気（Ｒ型形状部品）
９  軒天材注入
１１  釘穴
１５  ダイヤ型穴
（図２）  軒先部図
２  カラー鉄板
３  Ｒ型換気
４  鼻隠し板
５  淀
６  タルキ木材
７  野地板
８  外壁材
９  軒天上
１５  ダイヤ型穴
２０  柱
軒天上伏図
１０  従来カンキ穴
１１  釘穴
１３  出角入角コーナー
（図３）  コーナー直角納め図
１１  釘穴
コーナーカマボコ型納め図
１２  カマボコ型キャップ
結合部すみコーナー及び直線図
従来軒天上図
４  カラー鉄板
１４  染み汚れ腐蝕
１６  旧換気
（図４）  棟換気仕様図
１７  棟材
土台水切り仕様図
１８  外壁下地
１９  土台パッキン
２０  柱
２１  Ｒ型水切り
２２  基礎
【図１】
2005220723.tif 000003
【図２】
2005220723.tif 000004
【図３】
2005220723.tif 000005
【図４】
2005220723.tif 000006
(57)【要約】【課題】  鏡を大きくすると正面に立った時に横から見えないように、立て長にし使用する人の身長が１、５５０ｃｍの人から１、９００ｃｍまでの人に見えるように鏡の位を設定した。【解決手段】ズボンを汚さない、ファスナの閉め忘れを防ぐことが出来る。【選択図】図１
2005220724.tif 000002
【特許請求の範囲】
【請求項１】
小便器に鏡を付自分の陰部がズボから出ているのが確認出来る。
【請求項２】
陰部が、縮み、小水がズボンを濡らすのを防ぐのである。
【発明の詳細な説明】
【発明の詳細な説明】
【技術分野】
【０００１】本発明は従来の小便器に立３８０ｃｍ横１００ｃｍの鏡を取付陰部がちゃんと出ているか、よく見える用にした物である。
【背景技術】
【０００２】最近の小便器わ人が立った時に自分の陰部が見えない、高級品になるほど見えにくい製品があります。鏡を取付た時にわ上の部分の出っ張りを小さくしたいです。
【発明が解決しようとする課題】
【０００３】そのために次のような事が解決します。
（イ）男が一番恥じをかく事わ前がアイテルヨ鏡を付けた場合わそれが解決する。
【課題を解決するための手段】
【０００４】青空の下小便をする時にわ、陰部を確認出来ますが、高級な小便器わ見えにくい欠点がある。
【発明を実施するための最良の形態】
【０００５】小便器に鏡を取付る、大々きさわ立３８０ｃｍ横１００ｃｍの物、身長が１、５５０ｃｍ〜１、９００ｃｍぐらいの人を対象とする。
【発明の効果】
【０００６】長い年月付き合ってきた陰部を時間をかけて眺めるのも、心が豊かになるります。
【図面の簡単な説明】
【図１】小便器に鏡を付けた正面図
【図２】小便器に鏡を付けた側面図  ▲１▼鏡
【図１】
2005220724.tif 000003
【図２】
2005220724.tif 000004
(57)【要約】【課題】畳べりに和紙を用い、加工も天然素材のみを使用することにより自然環境保護の一面を担い、化学物質に起因するアレルギー症状の発生の抑制効果が期待でき、住環境等における自然素材の使用の発展を促し提供することを課題とする。【解決手段】畳べり地の材料全てに天然素材を用いることにより、環境保護の一面を担い、化学物質に起因するアレルギー症状の発生が起こりにくくなることを期待でき、住環境等における自然素材の使用の発展促進し、提供することができる。  また、従来品にない風合いを醸成することも可能である【選択図】図１
2005220719.tif 000002
【特許請求の範囲】
【請求項１】
和紙を素材としたことを特徴とする畳べり地
【請求項２】
前記畳べり地は、強度の高い和紙を防水・防汚・することを特徴とする請求項１記載の畳べり地
【発明の詳細な説明】
【技術分野】
【０００１】  この発明は、畳のへりの形状に関する。
【背景技術】
【０００２】  従来の畳べり地は、織物の技法を用い樹脂加工を施したものである。
【特許文献１】  特開平９−３２４５２０
【発明の開示】
【発明が解決しようとする課題】
【０００３】  しかしながら、以上の技術によれば、純天然の素材とはいいがたく、自然環境保護及び住環境等における自然素材の使用の発展を促すものではない。
そこで、この発明は、畳べりに和紙を用い、加工も天然素材のみを使用することにより自然環境保護の一面を担い、化学物質に起因するアレルギー症状の発生の抑制効果が期待でき、住環境等における自然素材の使用の発展を促し提供することを課題とする。
【課題を解決するための手段】
【０００４】  以上の課題を解決するために、第一発明は、和紙を使用したことを特徴とする畳べり地である。
また、第二発明は、こんにゃくのり・漆・柿渋等を使用し、和紙表面に塗布したことを特徴とする畳べり地である。
尚、使用材料は上記材料が好ましいがこれらに限定するものではない。
【発明の効果】
【０００５】  第一発明、または第二発明によれば、畳べり地の材料全てに天然素材を用いることにより、環境保護の一面を担い、化学物質に起因するアレルギー症状の発生が起こりにくくなることを期待でき、住環境等における自然素材の使用の発展促進し、提供することができる。
また、従来品にない風合いを醸成することも可能である。
【発明を実施するための最良の形態】
【０００６】  この発明の一実施形態を、図１に示す。
和紙の表面に、こんにゃくのり・漆・柿渋等の自然素材を塗布する。
尚、塗布の方法として、一層だけではなく、数層にわけて重ね塗りを行っても良い。【０００７】「実施形態の効果」
この実施形態によれば、和紙をはじめとする天然素材のもつ吸湿性が室内の湿度調節の役割を担うものであり、化学物質を使用しないことにより、アレルギー症状の発生が起こりにくい素材となっている。
さらに、自然素材のもつ、美しい風合いを提供することも可能である。【０００８】「他の実施形態」
図１ａの実施形態では、塗布が一層であるが、ｂのようにそれぞれを数層に塗布したものでも良い。
【図面の簡単な説明】
【０００９】
【図１】この発明の一実施形態を示す断面拡大図である。
【図２】従来技術を示す断面拡大図である。
【符号の説明】
【００１０】１  和紙        ２  表面加工素材（こんにゃくのり・漆・柿渋等）
３  織物        ４  樹脂
５  樹脂コーティングした糸を使用した織物
【図１】
2005220719.tif 000003
【図２】
2005220719.tif 000004